(57)【特許請求の範囲】
【請求項１】
撮像素子を有する映像情報入力手段と、該映像情報入力手段からの映像情報をディスク型記録メディアに記録する記録手段とを有する映像情報入力手段とディスク型記録メディアを一体とした記録装置において、
前記撮像素子が前記ディスク型記録メディアに記録するために静止画像を撮影しているときに、前記ディスク型記録メディアを駆動することで発生する振動により前記撮像素子がぶれて画質が劣化するのを低減する第一の所定回転数内でディスクを回転し前記映像情報入力手段の映像情報を記録する第一の記録モードと、
前記撮像素子が前記ディスク型記録メディアに記録するために静止画像を撮影している以外のときに、前記第一の所定回転数内より高速の第二の所定回転数内でディスクを回転し前記映像情報入力手段以外からの情報を記録する第二の記録モードを有することを特徴とする映像情報入力手段とディスク型記録メディアを一体とした記録装置。
【請求項２】
撮像素子を有する映像情報入力手段と、該映像情報入力手段からの映像情報をディスク型記録メディアに記録する記録手段とを有する記録装置において、
前記撮像素子が前記ディスク型記録メディアに記録するために静止画像を撮影しているときに、第一の所定回転数内でディスクを回転し前記映像情報入力手段の映像情報を記録する第一の記録モードと、
前記撮像素子が前記ディスク型記録メディアに記録するために静止画像を撮影している以外のときに、第一の所定回転数内より高速の第二の所定回転数内でディスクを回転し前記映像情報入力手段以外からの情報を記録する第二の記録モードを有することを特徴とする記録装置。
【請求項３】
請求項１又は２に記載の記録装置において、
前記第一の記録モードは前記ディスク型記録メディアを回転速度一定のＣＡＶ制御し、前記第ニの記録モードは前記ディスク型記録メディアを線速度一定のＣＬＶ制御することを特徴とする記録装置。
【請求項４】
請求項１乃至３のいずれか一項に記載の記録装置において、
前記ディスク型記録メディアとして１回のみの追記型ディスクを用いた場合に、前記第一の記録モードで前記映像情報入力手段による撮影が終了して、前記追記型ディスクのファイナライズ処理のために残りの空領域に記録する際には前記第二の記録モードを用いることを特徴とする記録装置。
【請求項５】
請求項１乃至３のいずれか一項に記載の記録装置において、
前記第一の記録モードで前記映像情報入力手段の映像情報を簡易フォーマットのビデオレコーディングフォーマットでディスク上に記録し、撮影が終了したら前記第二の記録モードでディスクのファイナライズ処理のために残りの空領域に記録することを特徴とする記録装置。
【請求項６】
請求項１乃至５のいずれか一項に記載の記録装置において、
前記映像情報入力手段と、マイク手段を有する音声情報入力手段と、情報伝送路インターフェースと、を有する入出力部を備え、
前記情報伝送路インターフェースを介して入力された情報を記録する構成とすることを特徴とする記録装置。
【請求項７】
請求項１乃至５のいずれか一項に記載の記録装置と、再生信号を表示するモニター装置と、を有することを特徴とするモニター一体型記録再生装置。
【請求項８】
請求項６に記載の記録装置において、
前記情報伝送路インターフェースを介して再生信号を外部へ送信することを特徴とする記録装置。
【発明の詳細な説明】
【０００１】
【発明の属する技術分野】
本発明は、ディスク型記録メディアを用いた記録装置で、騒音または振動が異なる少なくとも２つの記録モードを有する記録装置に関し、特に、記録装置と一体となった撮像素子を有する映像入力手段やマイク入力手段からの映像および音声情報を記録可能なディスク型記録メディアに対応する記録装置に関する。
【０００２】
【従来の技術】
従来、マイク入力手段と、ディスク型記録メディアを有する記録装置とが一体としているものがある（たとえば、特許文献１参照。）。
【０００３】
また、ディスク型記録メディアと半導体メモリを組み合わせて、ディスク型記録メディアへの記録開始準備が出来るまで半導体メモリに一時記録するものがある（たとえば、特許文献２参照。）。
【０００４】
また、ビデオカメラ装置として、ディスク型記録メディアの回転速度を切り替えて、複数の記録モードを有するものがある（たとえば、特許文献３参照。）。
【０００５】
【特許文献１】
特開平０８−１２４２７９号公報（第１０頁、図５）
【特許文献２】
特開平１１−００４４１０号公報（第５−６頁、図１−３）
【特許文献３】
特開２０００−０４５４１９号公報（第７−１０頁、図１−４）
【０００６】
【発明が解決しようとする課題】
上記従来技術は、ディスク型記録メディアを内蔵したビデオカメラ装置の記載はあるが、そのディスク型記録メディアを駆動した際に発生する騒音や振動によって、マイク入力手段への音声雑音やカメラ撮像時にビデオカメラ装置を保持する手に感じる振動（たとえば、大きな振動時には手ぶれの原因にもなり得る）等に、考慮した記載は無い。
すなわち、撮像素子を有する映像入力手段やマイク入力手段を一体化したディスク型記録装置では、これらのディスク型記録装置が発生する騒音や振動により記録される映像や音声が劣化するという問題が生じる。
【０００７】
本発明の目的は、この様なディスク型記録装置を用いて映像や音声を記録する際にディスク型記録装置の騒音や振動が入力映像信号や入力音声信号に与える影響を低減するシステムを提供することにある。
【０００８】
【課題を解決するための手段】
上記目的を達成するために、撮像素子を有する映像情報入力手段と、該映像情報入力手段からの映像情報をディスク型記録メディアに記録する記録手段とを有する映像情報入力手段とディスク型記録メディアを一体とした記録装置において、前記撮像素子が前記ディスク型記録メディアに記録するために静止画像を撮影しているときに、前記ディスク型記録メディアを駆動することで発生する振動により前記撮像素子がぶれて画質が劣化するのを低減する第一の所定回転数内でディスクを回転し前記映像情報入力手段の映像情報を記録する第一の記録モードと、前記撮像素子が前記ディスク型記録メディアに記録するために静止画像を撮影している以外のときに、前記第一の所定回転数内より高速の第二の所定回転数内でディスクを回転し前記映像情報入力手段以外からの情報を記録する第二の記録モードを設けたものである。
【０００９】
また、上記目的を達成するために、撮像素子を有する映像情報入力手段と、該映像情報入力手段からの映像情報をディスク型記録メディアに記録する記録手段とを有する記録装置において、前記撮像素子が前記ディスク型記録メディアに記録するために静止画像を撮影しているときに、第一の所定回転数内でディスクを回転し前記映像情報入力手段の映像情報を記録する第一の記録モードと、前記撮像素子が前記ディスク型記録メディアに記録するために静止画像を撮影している以外のときに、第一の所定回転数内より高速の第二の所定回転数内でディスクを回転し前記映像情報入力手段以外からの情報を記録する第二の記録モードを設けたものである。
【００１３】
さらに、請求項１又は２に記載の記録装置において、前記第一の記録モードは前記ディスク型記録メディアを回転速度一定のＣＡＶ制御し、前記第ニの記録モードは前記ディスク型記録メディアを線速度一定のＣＬＶ制御するものである。
【００１４】
さらに、請求項１乃至３のいずれか一項に記載の記録装置において、前記ディスク型記録メディアとして１回のみの追記型ディスクを用いた場合に、前記第一の記録モードで前記映像情報入力手段による撮影が終了して、前記追記型ディスクのファイナライズ処理のために残りの空領域を記録する際には前記第二の記録モードを設けるものである。
【００１５】
さらに、請求項１乃至３のいずれか一項に記載の記録装置において、前記第一の記録モードで前記映像情報入力手段の映像情報を簡易フォーマットのビデオレコーディングフォーマットでディスク上に記録し、撮影が終了したら前記第二の記録モードでディスクのファイナライズ処理のために残りの空領域を記録するものである。
【００１９】
さらに、前記記録装置を、撮像素子を有する映像情報入力手段とマイク手段を有する音声情報入力手段をカメラ撮像装置と情報伝送路インターフェースを有した情報処理手段の情報を記録する情報処理装置である。
【００２０】
さらに，前記記録装置からの再生信号を表示するモニター装置と一体化するモニター一体型記録再生装置である。
【００２１】
さらに、前記記録装置からの再生信号を外部へ送信する情報伝送路インターフェースを有した情報処理手段と一体化する情報処理装置である。
【００２２】
【発明の実施の形態】
以下、本発明の実施例を図１から図５により説明する。図１はディスク記録媒体を用いたカメラ一体型記録再生装置を示すものである。図１において、１はマイク、２はオーディオ入力処理回路、３はオーディオ出力回路、４は音声出力端子、５はレンズユニット、６は撮像センサー（ＣＣＤ）、７はカメラ映像信号処理回路、８は映像／音声の圧縮／伸張処理回路、９は映像表示／出力処理回路、１０は表示手段（ＬＣＤ）、１１はレンズユニット５のドライバ、１２はデジタル音声／映像入力端子、１３はデジタルインターフェース処理回路、１４はデジタル出力端子、１５はＤ−ＲＡＭ、１６は装置全体の制御マイコン、１７はフラッシュメモリ（Ｆ−ＲＡＭ）、１８は装置の操作スイッチ（ＳＷ），１９はインターフェース回路、２０は外部電源入力端子、２１は充電回路、２２はバッテリー、２３は電源回路（ＤＣ−ＤＣコンバータ）、２４はディスクメディアの信号／制御処理回路、２５はＤ−ＲＡＭ、２６はＳ−ＲＡＭ、２７はフラッシュメモリ（Ｆ−ＲＡＭ）、２８は記録再生部の制御マイコン、２９は記録再生回路、３１はメディアへ記録再生を行うピックアップ、３２はディスクメディア、３３はスピンドルモータ、３４はピックアップ３１をディスクメディア上を移動させる送りモータ、３５はスピンドルモータ３３と送りモータ３４とピックアップ３４内のフォーカス方向およびトラッキング方向のアクチュエータ（図示せず）をそれどれ駆動するアクチュエータドライバ、３６は映像出力端子、３７はスイッチ回路、３８はカメラ部、３９は出力部、４０は制御部、４１は記録再生部、４２は温度センサー、４３は増幅器をそれぞれ示す。
【００２３】
ここで、まずカメラ部３８の動作を説明する。画像情報はドライバ１１によって駆動されるレンズユニット５を介して、撮像センサー６にて電気信号に変換され、カメラ映像信号処理回路７にて映像信号に変換される。一方、音声はマイク１を介して、オーディオ入力処理回路２にて音声信号に変換される。
【００２４】
次に、出力部３９の動作を説明する。上記の信号は映像／音声の圧縮／伸張処理回路８にて、デジタル映像／音声圧縮信号に変換される。圧縮方式としては動画を扱うＭＰＥＧ方式や静止画を扱うＪＰＥＧ方式などを実施する。また、デジタル音声／映像入力端子１２より、外部からの入力情報を切換えて扱う事も出来る。出力手段としては、前記映像／音声の圧縮／伸張処理回路８から音声信号はオーディオ出力回路３を介して音声出力端子４に出力される。また、映像信号は映像表示／出力処理回路９を介して表示手段１０にて表示すると同時に、映像出力端子３６より出力される。さらに、デジタルインターフェース処理回路１３を介してデジタル出力端子１４よりデジタル映像／音声信号を出力する。ここでは、映像／音声の圧縮／伸張処理回路８を介して入力信号と出力信号を説明したが、これらの出力信号は必ずしも音声信号および映像信号とも圧縮／伸張処理を施す必要はないことは言うまでもない。
【００２５】
次に、制御部４０の動作を説明する。本装置は使用者が操作スイッチ１８を操作することにより動作する。操作スイッチ１８の出力は装置全体の制御マイコン１６に入力される。制御マイコン１６はドライバ１１を介してレンズユニット５を制御して被写体を撮像センサー６上に希望の画像を捕らえる。また、映像／音声の圧縮／伸張処理回路８にて、動画や静止画をデジタル信号に圧縮してＤ−ＲＡＭ１５に一時記憶するように制御する。これらの信号は、インターフェース回路１９を介して、ディスク型記録再生装置の信号／制御処理回路２４へ送られる。このインターフェース回路としては、たとえばＡＴＡＰＩ規格等が採用される。また、充電回路２１を監視して電源状態を把握し、スイッチ回路３７を制御してカメラ部の電源処理を行う。また、フラッシュメモリ１７は、制御マイコン１６を動作するプログラム等を記憶するメモリである。Ｄ−ＲＡＭ１５は映像／音声の圧縮／伸張処理回路８の処理データや制御マイコン１６の処理データを一時記憶するメモリである。
【００２６】
最後に、記録再生部４１の動作を説明する。記録再生部４１は、インターフェース回路１９から入力された動画または静止画情報を信号／制御処理回路２４とＤ−ＲＡＭ２５にてディスクメディアに応じた記録フォーマットに変換し、記録再生回路２９、ピックアップ３１を介してディスクメディア３２に記録する。また、このディスクメディア３２とピックアップ３１の相対位置は、ピックアップ３１を時分割にて再生動作して、ディスクメディア３２上から予め書き込まれた位置情報を記録再生回路２９を介して検出し、信号／制御処理回路２４および制御マイコン２８にて処理し、アクチュエータドライバ３５を介して、各アクチュエータであるスピンドルモータ３３と送りモータ３４および図示していないがピックアップ３１内にあるフォーカス及びトラッキングを制御するアクチュエータを駆動する。ちなみに、Ｓ−ＲＡＭ２６およびフラッシュメモリ２７は制御マイコン２８の演算データの一時記憶やプログラム等を記憶する。
【００２７】
ここで、温度センサー４２は特に温度上昇に注意が必要なピックアップ３１に近い所に配置され、装置の温度を温度センサー４２にて検出し、増幅器４３を介して制御マイコン２８内に取り込まれる。
この情報は、信号／制御処理回路２４およびインターフェース回路１９を介してカメラ一体型記録再生装置本体の制御マイコン１６へも供給される。これらの制御マイコン２８、１６間で装置の温度を監視して、温度に応じた動作モードを選択することができる。
【００２８】
また、本装置は、外部電源入力端子２０から供給される電源またはこの電源にて充電回路２１を活用して充電されたバッテリー２２の電源を電源回路２３にて必要な各部への電源を供給している。
【００２９】
以上、記録動作について述べたが、再生時にはほぼこれらの反対の動作が行われる。すなわち、ディスクメディア３２からピックアップ３１および記録再生回路２９を介してディスクメディア３２上の情報を検出し、信号／制御処理回路２４および制御マイコン２８によりディスクメディアに応じた記録フォーマットを復調し、インターフェース回路１９を介して映像／音声の圧縮／伸張処理回路８へ戻し、ここで、圧縮された映像信号および音声信号を伸張して、映像表示／出力処理回路９やオーディオ出力回路３を介して表示手段１０および音声出力端子４と映像出力端子３６に出力する。また、伸張する前の情報をデジタルインターフェース処理回路１３を介してデジタル出力端子１４に出力する。
【００３０】
さらに、電源部として、外部電源入力端子２０を有し、外部からの電源供給を可能としている。また、この外部電源入力端子２０から供給された電源によりバッテリー２２を充電回路２１により充電する。これにより、外部電源が供給されているときは、この電力を電源回路２３を介して各ブロックに供給し、外部電源が接続されていないときには、バッテリー２２からの電力を電源回路２３を介して各ブロックへ供給する。
【００３１】
ここで、映像信号を扱うディスクメディア３２としては、たとえば、図２に示すようなものがある。再生専用としてＤＶＤ−ＲＯＭ、１回のみの追記型としてＤＶＤ−Ｒ、書き換え可能なメディアとしてＤＶＤ−ＲＷおよびＤＶＤ−ＲＡＭがある。そして、記録フォーマットとしては、たとえば、ビデオフォーマット（DVD Video format）とビデオレコーディングフォーマット（Video recording format）が提案されている。
【００３２】
ビデオフォーマットは、映画等の事前に充分に編集処理された映像情報を、たとえばマルチアングルやパレンタル再生、ランダム・シャッフル再生などの独自の機能を実現したり、早送り、巻き戻しなどの特殊再生をサポートするための強力な情報データを持っている。
【００３３】
また、ビデオレコーディングフォーマットは、この書き換え型ディスクを前提に編集処理を経ずにリアルタイムでビデオ信号記録をし、記録後簡単に編集処理ができるアプリケーションを考慮している。しかし、このビデオレコーディングフォーマットで記録された信号は、先のビデオフォーマットで記録された再生専用ディスクを再生する為の多くのＤＶＤプレーヤでは再生できないものが多いと言う問題がある。
【００３４】
この問題は、特にビデオカメラにおいてディスクメディアに記録する際に、書き換え型ディスクであるＤＶＤ−ＲＷやＤＶＤ−ＲＡＭでは、一旦、ビデオレコーディングフォーマットで記録した後、編集作業を行い再びビデオフォーマットに変換して再記録する事で解決できるが、１回のみの追記型ディスクであるＤＶＤ−Ｒディスクではビデオレコーディングフォーマットで１度記録してしまうと、再度書き換える事が出来ずそのディスクは上記多くのＤＶＤプレーヤで再生する事は出来ない。
【００３５】
そこで、ＤＶＤ−Ｒディスクでは、簡易フォーマットの形式で一旦リアルタイムで情報を記録して置き、最後にファイナライズ処理を行うことで上記標準のビデオフォーマットに準拠した記録管理データを再記録する方法を採用する。以下、ＤＶＤ−Ｒディスクを例に説明するが、ＤＶＤ−ＲＷやＤＶＤ−ＲＡＭディスクに付いてももちろん同様に処理が可能であることは言うまでもない。
【００３６】
図３に、ＤＶＤディスクにおけるデータ構造を模式的に示す。記録と再生が可能なＤＶＤでは、管理エリアは、Ｒ−インフォメーションエリア（R-Information Area）とリードインエリア（Lead-in Area）及びボーダーアウト／リードアウトエリア（Border-out/Lead-out Area、以降、リードアウトエリアと総称する。）から成り、更にＲ−インフォメーションエリアは、パワーキャリブレーションエリア（Power Calibration Area）とレコーディングマネージメントエリア（Recording Management Area）で構成されているが、リードインエリアとリードアウトエリアの内容を再生専用ＤＶＤ−ＲＯＭと等しくすることによって、再生のコンパチビリティを確保している。
【００３７】
そして、データ記録エリアに新規のデータを記録したり、データ記録エリアに記録されているデータを編集する等の記録を伴う処理が行われる度に、これらの管理エリアに所定の記録管理データを再書き込みすることによって、記録状態の管理を行っている。
【００３８】
図２において、本ディスクには、クランピングエリアＣＡを中心としてグルーブ（Groove）とランド（Land）が螺旋状に形成されており、グルーブとランドには、物理アドレスを規定するためのウォブル（Wobble）とランドプリピット（Land Pre-pit）がそれぞれ形成されている。
【００３９】
上記のウォブルとランドプリピットの情報に基づいて、情報記録再生装置のピックアップがウォブルに対して位置合わせ制御されて、グルーブへの情報記録（データ書き込み）とグルーブからの情報再生（データ読み取り）が行われるようになっている。
【００４０】
上記のデータ書き込み又はデータ読み取りが行われるグルーブには、半径方向内側（クランピングエリアＣＡ側）から半径方向外側に向けてＲ−インフォメーションエリア（R-Information Area：ＲＩＡ）とインフォメーションエリア（Information Area：ＩＡ）が割り当てられている。
【００４１】
次に、図４、５を参照して、本実施例の特徴的な動作について説明する。操作ＳＷ１８には、たとえばカメラ録画を操作する録画釦などがある。この録画釦を操作することで、ＣＣＤ６およびマイク１から撮影された映像信号および音声信号を記録する為に取り込む。この録画釦５１の操作により、撮影のＯＮ/ＯＦＦ状態が切り替わる（５２）。この時、取り込まれる映像信号および音声信号の入力情報５３は図４に示される期間となる。この入力情報は、一旦、Ｄ-ＲＡＭ１５（または２５）に一時記憶され、所定の情報量が蓄積たれると、前記Ｄ-ＲＡＭ１５（または２５）からディスクメディア３２への書込み情報５４として読み出され、これをディスクメディア３２へに記録を行う（５５）。この時、前記撮影状態がＯＮであるかＯＦＦであるかにより、ディスクメディア３２の駆動を静音および静振(第二の)モードの低速記録か通常(第一の)モードの高速記録を行うかを選択する（５６）。
【００４２】
すなわち、図５に示すように、ディスクメディア３２への記録処理を開始する際に、ステップ１０２（ＳＴ１０２）にて、そのときの撮影状態がＯＮかＯＦＦかを判別し、撮影中はステップ１０４（ＳＴ１０４）にて記録再生部４１が発生する騒音や振動が少ない(第二の)動作モードを設定する。たとえば、図４では２倍速の記録モードとした。また、ステップ１０２（ＳＴ１０２）にて、撮影状態がＯＦＦと判別した場合は、ステップ１０３（ＳＴ１０３）にて、通常の記録(第一の)モードを設定する。たとえば、図４では３倍速の記録モードとした。これは、非撮影時には多少の騒音や振動が発生しても記録されたディスクメディア３２上には残らないので、むしろ高速で記録を速く完了することを優先にするものである。
【００４３】
また、図４に示す２回目の撮影のように短い期間の撮影では、この撮影期間の全ての入力情報５３を一旦半導体メモリ（Ｄ−ＲＡＭ）に記憶して、撮影が終了後に前記半導体メモリからディスクメディア３２へ書き込み情報５４を取り出す事により、撮影中には完全に記録再生部４１の動作を停止して、静音および静振状態を作り出し、撮影情報にこれらの記録再生部４１からの外乱要因を取り除く事が出来る。
【００４４】
また、図６、７を参照して、本実施例の他の特徴的な動作について説明する。操作ＳＷ１８には、たとえばカメラ録画を操作する録画釦などがある。この録画釦を操作することで、ＣＣＤ６およびマイク１から撮影された映像信号および音声信号を記録する為に取り込む。この録画釦１５１の操作により、撮影のＯＮ/ＯＦＦ状態が切り替わる（１５２）。この時、取り込まれる映像信号および音声信号の入力情報１５３は図６に示される期間となる。この入力情報は、一旦、Ｄ-ＲＡＭ１５（または２５）に一時記憶(第二の記録モード)される。
【００４５】
再び録画釦が操作され、撮影が完了すると、前記Ｄ-ＲＡＭ１５（または２５）からディスクメディア３２への書込み情報１５４として読み出され、これをディスクメディア３２へに記録を行う（１５５）。この時、前記撮影状態がＯＮであるかＯＦＦであるかにより、ディスクメディア３２の駆動を停止するか通常(第一の)モードの高速(３倍速)記録を行うかを制御する（１５６）。
【００４６】
すなわち、図７に示すように、記録処理を開始する際に、ステップ２０２（ＳＴ２０２）にて、そのときの撮影状態がＯＮかＯＦＦかを判別し、撮影中はステップ２０４（ＳＴ２０４）にて記録再生部４１が発生する騒音や振動を低減(無くする)するために、スピンドルモータ３３と送りモータ３４および図示していないがピックアップ３１内にあるフォーカス及びトラッキングを制御するアクチュエータなどの一部または全ての動作を停止する(第二の記録モード)。
【００４７】
また、ステップ２０２（ＳＴ２０２）にて、撮影状態がＯＦＦと判別した場合は、ステップ２０３（ＳＴ２０３）にて、通常の記録(第一の)モードを設定する。たとえば、図６では３倍速の記録モードとした。これは、非撮影時には多少の騒音や振動が発生しても記録されたディスクメディア３２上には残らないので、むしろ高速で記録を速く完了することを優先にするものである。
【００４８】
次に、記録再生部４１の静音および静振モードの具体的な一実施例を図８、９を用いて説明する。ディスク型記録メディアの駆動装置では、スピンドルモータ３３とピックアップ３１の送りモータ３４が主な駆動源である。これらの動きにより騒音や振動が発生する。
【００４９】
まず、図８では、送りモータ３４によるピックアップ３１をディスクメディア３２上の内外周の位置を移動させる。このことをシーク動作と呼ぶ。通常のシーク動作は波形６１に示すように現在の位置から所望のディスク半径位置へ移動する。これに対して、騒音および振動を低減する動作としては、波形６２に示すような送りモータの加速度を制限かまたは波形６３に示すような送りモータの最高速度を制限することで得られる。
【００５０】
これらの制御は、前記ディスクメディア３２上から予め書き込まれた位置情報を記録再生回路２９を介して検出し、信号／制御処理回路２４および制御マイコン２８にて処理し、アクチュエータドライバ３５を介して、送りモータ３４および図示していないがピックアップ３１内にあるトラッキングを制御するアクチュエータを駆動する。また、加速度の制限は、前記アクチュエータドライバ３５により前記送りモータ３４へ供給される駆動電流を制限することで実現する。
【００５１】
一方、スピンドルモータ３３はその回転数を通常モードに比較して、より低速で回転する事によって、騒音および振動が低減する静音および静振モードの動作を実現する事が出来る。
【００５２】
また、この他に、図９に示すように、通常のモードでは線速度が一定のＣＬＶで回転制御し、静音および静振モードではディスクメディア３２の回転速度一定のＣＡＶで回転制御する。これは、ＣＬＶ制御では、前記シーク動作にてピックアップ３１がディスクメディアの内外周に移動するたびに前記スピンドルモータ３３の回転数を変更するとその度にスピンドルモータ３３の加速または減速動作が必要となり、騒音および振動の発生原因となっていた。そこで、静音および静振モードでは、シーク動作によりピックアップ３１の位置が移動してもスピンドルモータ３３の回転数を変更しないＣＡＶ制御を実施して改善している。
【００５３】
また，これらのＣＬＶやＣＡＶ制御は，たとえば前記ディスクメディア３２上から予め書き込まれた位置情報を記録再生回路２９を介して検出し、信号／制御処理回路２４および制御マイコン２８にて処理し、アクチュエータドライバ３５を介して、スピンドルモータ３３を制御する。ＣＡＶ制御は，たとえばスピンドルモータに取り付けた周波数発生器（ＦＧ）を用いても良い（図示せず）。
【００５４】
次に、図１０を参照して、ファイナライズ処理の動作を説明する。同図において、ユーザーが操作スイッチ１８を操作すると、ファイナライズ処理の動作が開始する。まず、ステップ１１２において、データ記録エリアＤＲＡ内にすでに記録されているメインデータの最後尾、すなわちリードアウトエリアＬＯＡの開始端のアドレスを検出する。更に、標準フォーマットにおける所定の範囲のリードアウトエリアＬＯＡが記録される。
【００５５】
次に、ステップ１１３において、レコーディングマネージャエリアＲＭＡに記録管理データＲＭＤ（Recording Management Area）が記録される。
【００５６】
次に、ステップ１１４において、標準フォーマットに準拠してリードインエリアＬＩＡの所定のエリアに、ファイナライズされたことを示す所定データとしての記録管理データＲＭＤが記録される。
このように、ファイナライズ処理が行われると、装填されたディスク３２が簡易フォーマットであった場合には、自動的に標準フォーマットに準拠して記録管理データＲＭＤが記録されるため、読み出し専用ＤＶＤとのコンパチビリティが確保される。
【００５７】
しかし、ファイナライズ処理は、上記した如くすでに記録された領域が少ないとき、所定の範囲（たとえば、直径７０ｍｍ）までリードアウトエリアＬＯＡを記録する。このため、条件によっては十数分ものファイナライズ処理時間を要することが考えられる。
このように、撮像センサー（ＣＣＤ）６やマイク１からの撮影入力情報が無いときには、記録再生部４１からの騒音や振動が多少あっても前記撮像センサー（ＣＣＤ）６やマイク１に雑音として入力され撮影情報の性能を劣化させる事が無い為、むしろ出来るだけ高速な記録が出来る方が望ましい。
【００５８】
次に、本発明の他の実施例を図１１を用いて説明する。同図で図１と同じまたは同等機能部分には同一符号を記す。１７１はＣＰＵ、１７２は表示部、１７３は操作部、１７４は音声処理用ＤＳＰ、１７５はスピーカ、１７６は情報伝送路インターフェース、１７７はＲＯＭ、１７８はＲＡＭ、１７９はフラッシュメモリ（Ｆ−ＲＡＭ）、１８０は入出力部をそれぞれ示す。
【００５９】
本装置は、記録再生部４１を有した携帯型情報処理装置を示す。携帯型の情報処理装置の記録再生部４１に挿抜可能なディスク３２型記録媒体を採用し、リアルタイム記録が必要な入出力部１８０を有する場合には、図１に示したカメラ一体型記録装置と同様に、簡易フォーマットでリアルタイムで記録して、後からファイナライズ処理を実行して、たとえば、他の再生装置（ビュワー装置）にて再生可能な互換フォーマットに編集することが考えられる。このような動作においては、図１に示したカメラ一体型記録装置と同様な課題および解決手段が有効になる。
【００６０】
同図の入出力部１８０は、マイク１とオーディオ入力処理回路２により音声信号を取り込み、レンズユニット５と撮像センサー（ＣＣＤ）６およびカメラ映像信号処理回路７により映像信号を取り込む。また、情報伝送路インターフェース１７６により外部の機器やネットワークとの間で、映像・音声・データなどを含むマルチメディア情報を入出力する。これらの入出力部１８０より取り込まれた情報をＣＰＵ１７１にて処理・加工して、バッファメモリ（ＲＡＭ１７８）に一時記憶する。これらの情報が所定量に達したらインターフェース回路１９を介して記録再生部４１に記録する。また、ユーザーは操作部１７３を操作して、本装置の動作を制御する。また、本装置の状態は表示部１７２によりユーザーに開示される。その他の各部の動作は基本的に図１の動作と同様に動作する。本装置に対しても、図２〜図１０に示した各動作が適用される。
【００６１】
以上述べたことから明らかなように、特に、本ディスク記録装置を撮像素子を有した映像入力手段やマイクを有した音声入力手段と一体化した小型の携帯機器に採用した場合などに起こるディスク記録装置が発生する騒音や振動が前記撮像素子やマイクに影響を与え画質や音質の劣化を避けるために、前記撮像素子を有した映像入力手段や前記マイクを有した音声入力手段から入力情報を得ている期間（撮影期間）は、前記ディスク記録装置の動作を停止するかまたは騒音や振動が少ない動作モードに設定して制御し、この期間の前記入力情報を半導体記憶手段に一時記憶し、前記撮像素子を有した映像入力手段や前記マイクを有した音声入力手段から入力情報を撮り終えた（撮影が完了）したのち、前記半導体記憶手段から前記ディスク記録装置に記録するように制御または前記騒音や振動が少ない動作モードに対して騒音や振動が増加してもより高速な記録モードを選択して制御する。
【００６２】
これにより、撮像素子を有した映像入力手段やマイクを有した音声入力手段から入力情報を得ている期間は、ディスク記録装置が静音（騒音が少ない）や静振（振動が少ない）モードで動作して、入力映像や音声が劣化しないように制御され、入力情報を取り終えると通常のモード（前記静音や静振モードに対して、騒音や振動が大きく、高速で記録する事ができる）で動作し、高速で一時記憶された入力情報を高速でディスク記録装置に記録する事ができるという効果がある。
【００６３】
さらには、これらのディスク記録装置をカメラ一体型記録装置や携帯型情報処理装置やモニター一体型装置に適用して、音声や映像を性能劣化なく取り込んで記録できるディスク記録装置一体型の各種装置を提供できるという効果を有する。
【００６４】
【発明の効果】
以上述べたように、本発明によれば、映像や音声を性能劣化なくディスク記録装置に記録することができる。
【図面の簡単な説明】
【図１】本発明の一実施例の回路ブロック図である。
【図２】本発明の一実施例に使用される各種ディスクとその記録フォーマットを示す比較図である。
【図３】本発明の一実施例に使用されるディスクのデータ構造を示す模式図である。
【図４】本発明の一実施例の主要部の動作を示す模式波形図である。
【図５】本発明の一実施例の主要部の動作フローチャート図である。
【図６】本発明の一実施例の主要部の他の動作を示す模式波形図である。
【図７】本発明の一実施例の主要部の他の動作フローチャート図である。
【図８】本発明の一実施例の主要部の動作を示す模式波形図である。
【図９】本発明の一実施例の主要部の動作特性図である。
【図１０】本発明の一実施例の主要部の動作フローチャート図である。
【図１１】本発明の第二の一実施例の回路ブロック図である。
【符号の説明】
１…マイク、    ２…オーディオ入力処理回路、
５…レンズユニット、    ６…撮像センサー（ＣＣＤ）、
７…カメラ映像信号処理回路、    ８…圧縮／伸張処理回路、
９…映像表示／出力処理回路、    １０…表示手段（ＬＣＤ）、
１１…ドライバ、    １２…デジタル音声／映像入力端子、
１５…Ｄ−ＲＡＭ、    １６…制御マイコン、
１８…操作スイッチ（ＳＷ）、    １９…インターフェース回路、
２０…外部電源入力端子、    ２１…充電回路、
２２…バッテリー、  ２３…電源回路（ＤＣ−ＤＣコンバータ）、
２４…信号／制御処理回路、    ２５…Ｄ−ＲＡＭ、
２８…制御マイコン、    ２９…記録再生回路、
３１…ピックアップ、    ３２…ディスクメディア、
３３…スピンドルモータ、    ３４…送りモータ、
３５…アクチュエータドライバ、    ３７…スイッチ回路、
３８…カメラ部、    ３９…出力部、    ４０…制御部、
４１…記録再生部、    ４２…温度センサー、    ４３…増幅器、
１７１…ＣＰＵ、    １７２…表示部、    １７３…操作部、
１７６…情報伝送路インターフェース、    １７８…ＲＡＭ、
１８０…入出力部。
【図１】
0003722111.tif 000002
【図２】
0003722111.tif 000003
【図３】
0003722111.tif 000004
【図４】
0003722111.tif 000005
【図５】
0003722111.tif 000006
【図６】
0003722111.tif 000007
【図７】
0003722111.tif 000008
【図８】
0003722111.tif 000009
【図９】
0003722111.tif 000010
【図１０】
0003722111.tif 000011
【図１１】
0003722111.tif 000012